(57)【要約】【課題】ガスメータの入口の口管に弁手段を組み込むことで施工を容易にできると共に万が一ガスメータが損傷してもガスが漏出するのを確実に防止できるガス漏出防止装置を提供する。【解決手段】ガスメータ１の入口の口管２を少なくとも鋼等の高融点金属にて形成する。この入口の口管２内に口管２内の流路３を開閉し得る弁手段４を内装する。通常弁手段４が開放状態になるように弁手段４を保持すると共に高温状態に晒されたときに保持手段５の保持を解除して弁手段４を閉塞してガス流通が制限又は遮断されるようにする。【選択図】　　　　図２
2004019691.tif 000002
【特許請求の範囲】
【請求項１】
ガスメータの入口の口管を少なくとも鋼等の高融点金属にて形成し、この入口の口管内に口管内の流路を開閉し得る弁手段を内装し、通常弁手段が開放状態になるように弁手段を保持すると共に高温状態に晒されたときに保持手段の保持を解除して弁手段を閉じてガス流通を制限又は遮断するようにしたことを特徴とするガス漏出防止装置。
【請求項２】
弁手段を弁体と弁体にて閉じられる弁座とで構成し、通常弁座から離間するように弁体を配置すると共に保持手段としての低融点材料の保持部材にて弁体を保持し、高温に晒されたとき保持部材が溶融して弁体で弁座が閉じられてガス流通が制限又は遮断されるようにしたことを特徴とする請求項１記載のガス漏出防止装置。
【請求項３】
弁手段を流路に配置した起倒自在な弁板で構成して弁板を起立した状態で流路を開放すると共に弁板を倒した状態で流路を閉じるようにし、保持手段としての低融点材料の保持部材で起立させた弁板を保持し、高温に晒されたとき保持部材が溶融して弁板で流路が閉じられてガス流通が制限又は遮断されるようにしたことを特徴とする請求項１記載のガス漏出防止装置。
【請求項４】
弁手段を弁体と弁体で閉じられる弁座とで構成し、通常保持手段としての形状記憶合金の保持部材にて弁座から弁体が離間するように弁体を保持し、高温に晒されると形状記憶合金の保持部材の変形で保持が解除されて弁体にて弁座を閉じてガス流通を制限又は遮断するようにしたことを特徴とする請求項１記載のガス漏出防止装置。
【請求項５】
請求項１乃至請求項４のいずれかのガス漏出防止装置を備えたガスメータ。
【発明の詳細な説明】
【０００１】
【発明の属する技術分野】
本発明は、例えば、火災時等にて異常な高温に晒されたときガスメータの入口の口管でガスの供給を遮断してガスの漏出を防止するガス漏出防止装置に関するものである。
【０００２】
【従来の技術及び発明が解決しようとする課題】
一般に、ガスを通じている配管材料は、鉄等の高融点の金属で製造されているために、火災時等にガスを漏出することがないが、配管の端末等に接続されている機器やガスメータ等は配管部材と比較すると融点が低い部品を使用している場合もあるため、火災時等に異常な高温により長時間熱せられると何らの損傷を起こし、ガスが漏出する可能性がないとも言えない。
【０００３】
そこで、ガスメータ等の機器よりガス供給側のガス管に遮断弁を設け、火災等により異常な高温に晒されたとき、それを検知して遮断弁を遮断するようにしたものが近年提供されている。その一例として特開２０００−２３５３に開示されるものがある。これはガス管の流路内にボール状の弁体を配置してあり、通常は弁体を半田、樹脂等の低融点材料で流路内の所定位置に保持してあり、火災等で異常な高温に晒されたとき、低融点材料が溶融して弁体の保持が解除され、ばねの付勢力で弁体が流路内の弁座に移動して弁座を弁体にて閉塞するようになっている。
【０００４】
かかるものでは火災等より異常な高温に晒されたとき、ガスの流れが遮断されて安全性を確保することができるが、このようにガスを遮断するためには遮断弁をガスメータの手前のガス管に組み込まなければならなく、施工に手間がかかるという問題がある。
【０００５】
本発明は上記の点に鑑みてなされたものであり、ガスメータの入口の口管に弁手段を組み込むことで施工を容易にできると共に万が一ガスメータが損傷してもガスが漏出するのを確実に防止できるガス漏出防止装置及びガスメータを提供することを課題とするものである。
【０００６】
【課題を解決するための手段】
上記課題を解決するための本発明のガス漏出防止装置は、ガスメータ１の入口の口管２を少なくとも鋼等の高融点金属にて形成し、この入口の口管２内に口管２内の流路３を開閉し得る弁手段４を内装し、通常弁手段４が開放状態になるように弁手段４を保持すると共に高温状態に晒されたときに保持手段５の保持を解除して弁手段４を閉じてガス流通を制限又は遮断するようにしたことを特徴とする。通常弁手段４が保持手段５で開放状態に保持されているためにガスが流れるが、火災時等で異常な高温に晒されたとき、弁手段４が閉じられてガス流通が制限又は遮断され、ガスの漏出が防止される。弁手段４がガスメータ１の入口の口管２に内装されているのでガスメータ１を取り付けてガス管６と接続するだけで施工できて施工が容易にできる。またガス管６と接続する入口の口管２を高融点材料にて形成すると共にこの口管２内に弁手段４を設けてあるため、火災等で高温に晒されたとき万が一ガスメータ１が損傷してもガスが漏れるのを防止できる。
【０００７】
また弁手段４を弁体７と弁体７にて閉じる弁座８とで構成し、通常弁座８から離間するように弁体７を配置すると共に保持手段５としての低融点材料の保持部材５ａにて弁体７を保持し、高温に晒されたとき保持部材５ａが溶融して弁体７で弁座８が閉じられてガス流通が制限又は遮断されるようにしたことを特徴とすることも好ましい。通常は弁体７が離間するように保持部材５ａで弁体７が保持されているためにガスが流れるが、火災時等で異常な高温に晒されたとき、低融点材料の保持部材５ａが溶融して弁体７にて弁座８が閉じられてガス流通が制限又は遮断され、ガスの漏出が遮断される。
【０００８】
また弁手段４を流路３に配置した起倒自在な弁板９で構成して弁板９を起立した状態で流路３を開放すると共に弁板９を倒した状態で流路３を閉じるようにし、保持手段５としての低融点材料の保持部材５ａで起立させた弁板９を保持し、高温に晒されたとき保持部材５ａが溶融して弁板９で流路３が閉じられてガス流通が制限又は遮断されるようにしたことを特徴とすることも好ましい。通常は弁板９を起立させた状態で保持部材５ａにて保持されているためにガス流れるが、火災時等で異常な高温に晒されたとき、低融点材料の保持部材５ａが溶融して弁板９が倒れて流路３が閉じられてガス流通が制限又は遮断され、ガスの漏出が遮断される。また弁板９を起立させて流路３を開放するためにガスが流れるときの抵抗が少なくなり、圧力損失を少なくできる。
【０００９】
また弁手段４を弁体７と弁体７で閉じられる弁座８とで構成し、通常保持手段５としての形状記憶合金の保持部材５ｂにて弁座８から弁体７が離間するように弁体７を保持し、高温に晒されると形状記憶合金の保持部材５ｂの変形で保持が解除されて弁体７にて弁座８を閉じてガス流通を制限又は遮断するようにしたことを特徴とすることも好ましい。通常は、弁体７が弁座８から離間するように保持部材５ｂにて保持されているためにガスが流れるが、火災時等で異常な高温に晒されたとき、形状記憶合金の保持部材５ｂが変形して弁体７が弁座８を閉塞してガス流通が制限又は遮断され、ガスの漏出が遮断される。また形状記憶合金の保持部材５ｂのために温度が下がると元の状態に戻り、容易に再復帰させることができる。
【００１０】
【発明の実施の形態】
図１に示すようなガスメータ１は筐体１０の内部にメータ部品を組み込んで形成されており、筐体１０の上面から入口となる口管２と出口となる口管１１を上方に突出させてある。本発明の場合、少なくとも入口となる口管２を筐体１０とは別体に形成してあり、筐体１０に口管２を固定してある。筐体１０は一般にアルミダイキャストにて形成されている。入口となる口管２は鋼、ステンレス鋼、真鍮等のアルミニウムより十分高融点の金属にて形成されている。ガスメータ１の入口となる口管２にはガス供給業者からガスを供給するガス管６を接続してあり、出口となる口管１１には建物内にガスを供給するガス管６を接続してある。口管２，１１の外面には雄ねじ部１２を設けてあり、袋ナット１３を用いてガス管６を接続できるようになっている。
【００１１】
本発明の場合、入口となる口管２の内部に遮断弁となる弁手段４を組み込んで内装してあり、通常、ガスが流れる状態に弁手段４を開放し、火災時等で異常な高温に晒されたとき弁手段４を閉じてガス流通を制限又は遮断し、ガスの漏出を防止するようになっている。
【００１２】
図３は弁手段４の例であり、口管２の流路３に設けた弁座８と弁座８より上で流路３内に配置した鋼球のような弁体７とで構成されている。流路３内で弁座８の上方には高融点材料にて形成せる吊り支持材１４を装着してあり、吊り支持材１４の中央の下には弁体７を当接するように配置してある。保持手段５としての保持部材５ａは半田、樹脂等の低融点材料にて形成されており、吊り支持材１４と弁体７との間に低融点材料の保持部材５ａを介装してこの保持部材５ａにて吊り支持材１４と弁体７とを結合してある。このように保持部材５ａにて吊り支持材１４と弁体７とを結合した状態では弁座８の上方に弁体７が離間して流路３は開放されている。
【００１３】
通常は、弁体７が弁座８に対して離間して開放されているためにガスが流れるようになっているが、火災時等で異常な高温に晒されたとき、低融点材料の保持部材５ａが溶融して弁体７と吊り支持材１４との結合が外れ、弁体７の自重で弁体７が落下して弁体７が弁座８の上に載って弁座８が閉じられてガス流通が制限又は遮断され、ガスの漏出が防止される。このとき入口の口管２が高融点材料にて形成されていると共に口管２にガス管６が連結されていることにより、ガスメータ１の筐体１０が万が一損傷してもガスの漏出が阻止される。またガスメータ１の口管２に弁手段４を内装してガス漏出防止装置を組み込んであるので、ガスメータ１を設置してガス管６と接続するだけで施工できて施工が容易にできる。
【００１４】
また図４に示す例では低融点材料からなる保持部材５ａを水平に長い棒状にしてあり、この棒状の保持部材５ａを架設するように流路３内に装着してある。そして保持部材５ａの下に配置した弁体７を保持部材５ａに結合して保持してある。通常は、保持部材５ａに弁体７が吊り保持されるために弁体７が弁座８に対して離間して開放されており、ガスが流れる状態になっているが、火災時等で異常な高温に晒されたとき、低融点材料の保持部材５ａが溶融して弁体７の保持が解除され、弁体７の自重で弁体７が落下して弁体７が弁座８の上に載って弁座８が閉じられてガス流通が制限又は遮断され、ガスの漏出が防止される。
【００１５】
また図５は弁手段４の他の例を示すものである。鋼球のような弁体７の下方に円環状の受け支持枠１５を装着してあり、この円環状の受け支持枠１５の内周が弁座８となっている。低融点材料からなる保持部材５ａは脚状に形成されており、弁座８の上方に離間させて配置した弁体７が図５（ａ）（ｂ）に示すように脚状の保持部材５ａで浮くように支持してある。通常は、保持部材５ａにて弁体７を持ち上げるように弁体７が支持されて弁体７が弁座８に対して離間しているためにガスが流れる状態になっているが、火災時等で高温に晒されたとき、低融点材料の保持部材５ａが溶融して弁体７の保持が解除され、弁体７の自重で弁体７が落下して受け支持枠１５の弁座８に載って弁座８が閉じれてガス流通が制限又は遮断され、ガスの漏出が防止される。
【００１６】
また図６は弁手段４の他の例を示すものである。流路３内の弁座８の上方には円環状の支持枠１６を配置してあり、支持枠１６内に鋼球のような弁体７を配置してあり、支持枠１６の内周から突設した突片１６ａの先端を弁体７の外面に対向させてある。低融点材料からなる保持部材５ａは突片１６ａの先端と弁体７の外面との間に介装してあり、保持部材５ａにて突片１６ａと弁体７とを結合してある。通常は、保持部材５ａの結合にて弁体７が支持枠１６に支持されて弁体７が弁座８に対して離間しているためにガスが流れる状態になっているが、火災時等で高温に晒されたとき、低融点材料の保持部材５ａが溶融して弁体７の保持が解除され、弁体７の自重で弁体７が落下して弁座８に載って弁座８が閉じられてガス流通が制限又は遮断され、ガスの漏出が防止される。
【００１７】
また図７は弁手段４の他の例を示すものである。口管２には中空球状の弁収納部１７を設けてあり、弁収納部１７内には鋼球のような球体状の弁体７を収納してある。弁収納部１７の下部には弁座８を設けてあり、弁収納部１７の弁体７が弁座８に載ることで弁座８を閉じてガス流通が制限又は遮断されるようになっている。低融点材料からなる保持部材５ａにて弁収納部１７内の中央に浮くように弁体７が支持されており、この状態で弁体７が弁座８から離間している。通常は、図７（ａ）に示すように保持部材５ａの保持にて弁体７が弁座８に対して離間しているためにガスが流れる状態になっているが、火災時等で高温に晒されたとき、低融点材料の保持部材５ａが溶融して弁体７の保持が解除され、弁体７の自重で弁体７が落下して図７（ｂ）に示すように弁座８に載って弁座８が閉じられてガス流通が制限又は遮断され、ガスの漏出が防止される。
【００１８】
また図８は弁手段４の他の例を示すものである。本例では弁手段４は１つの半円盤状の弁板９と格子状の支持枠１８とで構成されている。口管２の流路３内には支持枠１８を水平に装着してあり、支持枠１８の上には一対の弁板９を載置してあり、一対の弁板９の弦縁同士を重ねるように支持枠１８の中心線上に配置してあり、弁板９の弦縁を支持枠１８にヒンジ１９等で回転自在に装着してあり、一対の弁板９が起倒自在になっている。低融点材料からなる保持部材５ａは棒状に形成されており、この棒状の保持部材５ａを支え棒状に弁板９と支持枠１８との間に架設してある。
【００１９】
通常、図８（ａ）に示すように一対の弁板９が起立されて流路３が開放されており、流路３をガスが流れている。このとき、一対の弁板９が起立させられるために流路３は大きく開放され、弁板９が余り抵抗となることなく、ガスがスムーズに流れて圧力損失が少ない。火災時等で異常な高温に晒されたとき、保持部材５ａが溶融して支えがなくなり、一対の弁板９が自重で倒れて図８（ｂ）に示すように支持枠１８に一対の弁板９が水平に重なって流路３が閉じられてガス流通が制限又は遮断され、ガスの漏出が防止される。
【００２０】
また図９は弁手段４の他の例を示すものである。口管２には中空球状の弁収納部１７を設けてあり、弁収納部１７内には鋼球のような球体状の弁体７を収納してある。弁収納部１７の下部には弁座８を設けてあり、弁収納部１７の弁体７が弁座８に載ることで弁座８を閉じてガス流通が制限又は遮断されるようになっている。保持手段５としての保持部材５ｂは形状記憶合金にて受け台状に形成されており、この受け台状の保持部材５ｂは弁座８の上に配置してあり、保持部材５ｂの上に弁体７を載せてある。この保持部材５ｂは常温では弁座８に対して弁体７が浮くように持ち上げて保持する形状になっており、所定温度以上の高温になると持ち上げ保持が解除される形状に変形するようになっている。
【００２１】
通常は図９（ａ）に示すように弁体７が弁座８に対して形状記憶合金の保持部材５ｂにて持ち上げて保持されており、ガスが流れるようになっている。この状態から火災時等で異常な高温に晒されたとき、形状記憶合金の保持部材５ｂが変形して弁体７の持ち上げ保持が解除され、図９（ｂ）に示すように弁体７が下降して弁体７が弁座８に当接されて閉じられてガス流通が制限又は遮断され、ガスの漏出が防止される。このようにガスの漏出を遮断した後、温度が徐々に下がって平温になると、形状記憶合金の保持部材５ｂも元の状態になり、弁体７が持ち上がって図９（ａ）の状態に戻り、再復帰する。
【００２２】
【発明の効果】
本発明の請求項１の発明は、ガスメータの入口の口管を少なくとも鋼等の高融点金属にて形成し、この入口の口管内に口管内の流路を開閉し得る弁手段を内装し、通常弁手段が開放状態になるように弁手段を保持すると共に高温状態に晒されたときに保持手段の保持を解除して弁手段を閉じてガス流通を制限又は遮断するようにしたので、通常弁手段が保持手段で開放状態に保持されているためにガスが流れるが、火災時等で異常な高温に晒されたとき、弁手段が閉じられてガス流通が制限又は遮断され、ガスの漏出が防止され、安全性を確保できるものであり、また弁手段がガスメータの入口の口管に内装されているのでガスメータを取り付けてガス管と接続するだけで施工できて施工が容易にできるものであり、さらにガス管と接続する入口の口管を高融点材料にて形成すると共にこの口管内に弁手段を設けてあるため、火災等で高温に晒されたとき万が一ガスメータが損傷してもガスが漏れるを防止できるものである。
【００２３】
また本発明の請求項２の発明は、請求項１において、弁手段を弁体と弁体にて閉じられる弁座とで構成し、通常弁座から離間するように弁体を配置すると共に保持手段としての低融点材料の保持部材にて弁体を保持し、高温に晒されたとき保持部材が溶融して弁体で弁座が閉じられてガス流通が制限又は遮断されるようにしたので、通常は弁体が離間するように保持部材で弁体が保持されているためにガスが流れるが、火災時等で異常な高温に晒されたとき、低融点材料の保持部材が溶融して弁体にて弁座が閉じられてガス流通が制限又は遮断され、ガスの漏出が遮断されるものである。
【００２４】
また本発明の請求項３の発明は、請求項１において、弁手段を流路に配置した起倒自在な弁板で構成して弁板を起立した状態で流路を開放すると共に弁板を倒した状態で流路を閉じるようにし、保持手段としての低融点材料の保持部材で起立させた弁板を保持し、高温に晒されたとき保持部材が溶融して弁板で流路が閉じられてガス流通が制限又は遮断されるようにしたので、通常は弁板を起立させた状態で保持部材にて保持されているためにガス流れるが、火災時等で異常な高温に晒されたとき、低融点材料の保持部材が溶融して倒れて流路が閉じられてガス流通が制限又は遮断され、ガスの漏出が遮断されるものであり、また弁板を起立させて流路を開放するためにガスが流れるときの抵抗が少なくなり、圧力損失を少なくできるものである。
【００２５】
また本発明の請求項４の発明は、請求項１において、弁手段を弁体と弁体で閉じられる弁座とで構成し、通常保持手段としての形状記憶合金の保持部材にて弁座から弁体が離間するように弁体を保持し、高温に晒されると形状記憶合金の保持部材の変形で保持が解除されて弁体にて弁座を閉じてガス流通を制限又は遮断するようにしたので、通常は、弁体が弁座から離間するように保持部材にて保持されているためにガスが流れるが、火災時等で異常な高温に晒されたとき、形状記憶合金の保持部材が変形して弁体が弁座を閉じてガス流通が制限又は遮断され、ガスの漏出が遮断されるものであり、また形状記憶合金の保持部材のために温度が下がると元の状態に戻り、容易に再復帰させることができるものである。
【図面の簡単な説明】
【図１】本発明の実施の形態の一例のガスメータを示す斜視図である。
【図２】同上のガスメータの入口の口管部分の断面図である。
【図３】同上の弁手段の一例を示し（ａ）は断面図、（ｂ）は要部の平面図、（ｃ）は要部の斜視図である。
【図４】同上の弁手段の他の例の断面図である。
【図５】同上の弁手段の他の例を示し、（ａ）は断面図、（ｂ）は要部の斜視図、（ｃ）は遮断した状態の要部の斜視図である。
【図６】同上の弁手段の他の例を示し、（ａ）は断面図、（ｂ）は要部の平面図、（ｃ）は要部の斜視図である。
【図７】同上の弁手段の他の例を示し、（ａ）は開放状態の断面図、（ｂ）は遮断状態の断面図である。
【図８】同上の弁手段の他の例を示し、（ａ）は開放状態の断面図、（ｂ）は遮断状態の断面図、（ｃ）は要部の斜視図である。
【図９】同上の弁手段の他の例を示し、（ａ）は開放状態の断面図、（ｂ）は遮断状態の断面図である。
【符号の説明】
１　ガスメータ
２　入口の口管
３　流路
４　弁手段
５　保持手段
５ａ　保持部材
５ｂ　保持部材
６　ガス管
７　弁体
８　弁座
９　弁板
【図１】
2004019691.tif 000003
【図２】
2004019691.tif 000004
【図３】
2004019691.tif 000005
【図４】
2004019691.tif 000006
【図５】
2004019691.tif 000007
【図６】
2004019691.tif 000008
【図７】
2004019691.tif 000009
【図８】
2004019691.tif 000010
【図９】
2004019691.tif 000011